(57)【要約】【課題】駆動軸を介してケース内部に動力伝達が可能であって、この駆動軸回りの気密性が高く且つ駆動軸にかかる回転負荷が小さい保湿ケースを提供する。【解決手段】駆動力伝達機構８３を、駆動軸９０と、この駆動軸９０を支持する外板９１及び内板９２と、ギア９３，９４と、可動軸受９７と、圧縮コイルバネ９８とから構成する。プリンタ本体側ケース３１には開口部９９を形成する。可動軸受９７にはパッキン１０３を設ける。可動軸受９７は、圧縮コイルバネ９８の付勢力によって、パッキン１０３を介してプリンタ本体側ケース３１に押し付けられ、開口部９９を気密に塞ぐ。【選択図】        図４
2007050944.tif 000002
【特許請求の範囲】
【請求項１】
ケース本体に駆動軸が取り付けられ、前記ケース本体の外部から内部へ駆動力が伝達可能な保湿ケースにおいて、
前記ケース本体に形成され前記駆動軸が挿通される開口部と、
前記駆動軸が前記開口部の内側に接触しないようにして前記駆動軸を保持する駆動軸保持部と、
前記駆動軸に軸方向で移動自在に取り付けられ、前記開口部よりも外径が大きい可動軸受と、
前記可動軸受を前記開口部に向けて付勢し前記開口部を気密に塞ぐ付勢部材とを備えたことを特徴とする保湿ケース。
【請求項２】
前記可動軸受と前記ケース本体との接触領域にパッキンを配置したことを特徴とする請求項１記載の保湿ケース。
【請求項３】
前記駆動軸保持部は、前記駆動軸を、それぞれ第１及び第２軸受を介して保持する第１及び第２保持部材から構成されること特徴とする請求項１または２記載の保湿ケース。
【請求項４】
感熱記録紙をロール状に巻いた記録紙ロールを前記ケース本体の内部に収納して使用され、
前記記録紙ロールの周面に圧接し、前記駆動軸を介して伝達される駆動力によって回転して前記感熱記録紙を搬送する搬送ローラと、
前記搬送ローラによって搬送される前記感熱記録紙を前記ケース本体の外部へ送り出すために前記ケース本体に形成された送出口と、
前記送出口を開閉するシャッタとが設けられ、感熱プリンタに用いられることを特徴とする請求項１ないし３いずれか１項記載の保湿ケース。
【請求項５】
前記ケース本体は、感熱プリンタ本体に対して引き出し可能な給紙トレイに取り付けられ、前記記録紙ロールを収納する第１ケース本体と、
前記感熱プリンタ本体に取り付けられ、前記給紙トレイの押し込み動作に伴って前記第１ケース本体を気密に塞ぐ第２ケース本体とから構成されており、
前駆駆動軸及び前記搬送ローラは前記第２ケース本体側に設けられていることを特徴とする請求項４記載の保湿ケース。
【発明の詳細な説明】
【技術分野】
【０００１】
本発明は、ケース外部から内部へ駆動軸を介して駆動力が伝達可能な保湿ケースに関する。
【背景技術】
【０００２】
感熱プリンタでは、長尺な感熱記録紙（以下、記録紙）を巻芯に巻いた記録紙ロールが使用され、プリント後に規定のサイズにカットしている。記録紙は湿度が変化すると発色特性が変化してしまうことから、記録紙ロールは保存袋に収納され使用時に取り出すようにされている。また、記録紙ロールは多数回のプリント分を有し長期間に渡り使用されることから、感熱プリンタへの装填後においても保湿状態にする必要があり、記録紙ロールはプリンタに備えられた保湿ケースに収納される（例えば、特許文献１参照）。なお、保湿ケースは一般的に樹脂製である。
【０００３】
保湿ケース内部には記録紙ロールから記録紙を引き出す搬送ローラが設けられており、この搬送ローラによって引き出された記録紙は、保湿ケースに形成された送出口を介して画像記録部へと送り出される。搬送ローラを回転駆動する搬送ローラ駆動部は保湿ケース外部に配置されるのが一般的である。この搬送ローラ駆動部の駆動力は、保湿ケースを貫いて設けられた駆動軸を介して搬送ローラへと伝達される。
【０００４】
保湿ケースを貫いて駆動軸を設ける場合には、保湿ケースの保湿性を高めるために、保湿ケースと駆動軸との間の気密性を高める必要がある。従来においては、保湿ケースに直接固設された軸受を介して駆動軸を支持し、この軸受によって保湿ケースと駆動軸との間を塞いでいた。しかし、保湿ケースが樹脂製であるため、駆動軸が回転時に不安定になりやすく、軸受と保湿ケースとの隙間から空気が流入し保湿が十分ではなかった。
【０００５】
そこで、駆動軸を金属製の支持部材によって支持しておき、保湿ケースと駆動軸との間をゴム製のパッキンで塞ぐ技術が知られている。パッキンは駆動軸と共に回転して保湿ケースに摺動する。
【特許文献１】特開平１０−４４５４７号公報
【発明の開示】
【発明が解決しようとする課題】
【０００６】
しかしながら、この場合には、駆動軸が安定するものの、パッキンが保湿ケースに摺動することから、これが回転負荷となって駆動力の伝達ロスが大きくなるという問題があった。また、パッキンを長期間使用した場合にはパッキンが磨耗し、保湿性能が低下するという問題があった。
【０００７】
本発明は、ケース本体に駆動軸が取り付けられており、この駆動軸回りの気密性が高く且つ駆動軸にかかる回転負荷が小さい保湿ケースを提供することを目的とする。
【課題を解決するための手段】
【０００８】
本発明は、ケース本体に駆動軸が取り付けられ、ケース外部から内部へ駆動力が伝達可能な保湿ケースに関し、前記ケース本体に形成され前記駆動軸が挿通される開口部と、前記駆動軸が前記開口部の内側に接触しないようにして前記駆動軸を保持する駆動軸保持部と、前記駆動軸に軸方向で移動自在に取り付けられ前記開口部よりも外径が大きい可動軸受と、前記可動軸受を前記開口部に向けて付勢し前記開口部を気密に塞ぐ付勢部材とを備えたことを特徴とする。前記可動軸受と前記ケース本体との接触領域にパッキンを配置することが好ましい。
【０００９】
前記駆動軸保持部は、前記駆動軸をそれぞれ第１及び第２軸受を介して保持する第１及び第２保持部材から構成されることが好ましい。
【００１０】
感熱記録紙をロール状に巻いた記録紙ロールをケース内部に収納して使用され、前記記録紙ロールの周面に圧接し前記駆動軸を介して伝達される駆動力によって回転して前記感熱記録紙を搬送する搬送ローラと、前記搬送ローラによって搬送される前記感熱記録紙をケース外部へ送り出すために前記ケース本体に形成された送出口と、前記送出口を開閉するシャッタとが設けられ、感熱プリンタに用いられることが好ましい。
【００１１】
前記ケース本体は、感熱プリンタ本体に対して引き出し可能な給紙トレイに取り付けられ前記記録紙ロールを収納する第１ケース本体と、前記感熱プリンタ本体に取り付けられ前記給紙トレイの押し込み動作に伴って前記第１ケース本体を気密に塞ぐ第２ケース本体とから構成されており、前駆駆動軸及び前記搬送ローラは前記第２ケース本体側に設けることが好ましい。
【発明の効果】
【００１２】
本発明の保湿ケースによれば、ケース本体に形成され駆動軸が挿通される開口部と、駆動軸が開口部の内側に接触しないようにして駆動軸を支持する駆動軸保持部と、駆動軸に軸方向で移動自在に取り付けられ開口部よりも外径が大きい可動軸受と、可動軸受を開口部に向けて付勢し開口部を気密に塞ぐ付勢部材とを備えたので、可動軸受が付勢部材の付勢力によって駆動軸回りを気密に塞いで保湿ケースの保湿性が高くなり、また、駆動軸が駆動軸保持部に保持されて安定して回転する。なお、可動軸受とケース本体との接触領域にパッキンを配置することにより、より保湿性を高めることができる。
【００１３】
駆動軸保持部は、駆動軸をそれぞれ第１及び第２軸受を介して保持する第１及び第２保持部材から構成されるので、駆動軸は２点で支持されることとなって安定して回転する。ここで、駆動軸は可動軸受にも接しているが、この可動軸受はケース本体とは別体とされているため、駆動軸は可動軸受に対して円滑に回転することができる。
【発明を実施するための最良の形態】
【００１４】
図１及び図２に示す給紙装置２は、感熱プリンタに備えられ、記録紙ロールユニット３を感熱プリンタに装填し、装填後の記録紙ロールユニット３を遮光及び防湿状態で保持するとともに、装填後の記録紙ロールユニット３から感熱記録紙（以下、記録紙）４を送り出すものである。給紙装置２は、詳細を後述する給紙トレイ５を有し、図１に示す給紙トレイ５を引き出した状態と、図２に示す給紙トレイ５を押し込んだ状態とをとる。以下の説明においては、Ｘ、Ｙ、Ｚ座標系を用いて方向を示す。ＸＹ平面が水平面になっている。
【００１５】
記録紙ロールユニット３は、記録紙ロール１１と、一対のロールホルダ１２，１３とから構成される。記録紙ロール１１は、長尺な記録紙４を図示しない巻芯に巻いてロール状にしたものである。記録紙４には、熱感度が異なる複数種類の発色層が順次に層設されており、各発色層はそれぞれ特定領域の波長の光が照射されると未発色部分の発色能力が消失するようにされている。
【００１６】
ロールホルダ１２は、記録紙ロール１１の端面に対向するフランジ１４と、このフランジ１４の外側面に設けられオペレータに把持される円環状の把持部１５と、フランジ１４の内側面に設けられ記録紙ロール１１の巻芯の内周に嵌合する図示しない嵌合部と、回転軸１６と、この回転軸１６を回転自在に支持する軸支部１７とを有している。ロールホルダ１３は、ロールホルダ１２と同様に、フランジ１８と、把持部１９と、嵌合部と、回転軸２０と、軸支部２１とを有している。ロールホルダ１２，１３は記録紙ロール１１と一体になり、回転軸１６，２０を中心に回転する。
【００１７】
給紙装置２は保湿ケース３５を有しており、この保湿ケース３５は遮光性を有する樹脂により成形されている。保湿ケース３５は、給紙トレイ５に設けられた給紙トレイ側ケース（第１ケース本体）４０と、基台３０に固定されたプリンタ本体側ケース（第２ケース本体）３１とから構成される。給紙トレイ５はプリンタ本体に対して引き出し可能であり、基台３０はプリンタ本体の一部を構成している。給紙トレイ側ケース４０はＹ軸プラス側が開口４０ａとされており、給紙トレイ５の押し込み動作に伴って、この開口４０ａがプリンタ本体側ケース３１に気密に塞がれる。
【００１８】
給紙トレイ側ケース４０の内部には、２枚の板状の第１支持部材４１，４２がＸ軸方向に並べて設けられている。第１支持部材４１には回転軸１６を支持するＵ字状の第１支持溝４１ａが形成され、第１支持部材４２には回転軸２０を支持するＵ字状の第１支持溝４２ａが形成されている。第１支持部材４１，４２の間隔は、記録紙ロールユニット３の把持部１５，１９の間隔より少し広くされている。
【００１９】
給紙トレイ５には、２本の可動レール４３，４４が設けられている。可動レール４３，４４には、Ｙ軸方向に延びるようにそれぞれ凸部４３ａ，４４ａが形成されている。凸部４３ａはＸ軸マイナス側に突出し、凸部４４ａはＸ軸プラス側に突出している。基台３０には、２本の固定レール４５，４６が設けられている。固定レール４５，４６には、Ｙ軸方向に延びるようにそれぞれ凹部４５ａ，４６ａが形成されている。凹部４５ａはＸ軸マイナス側に窪み、凹部４６ａはＸ軸プラス側に窪んでいる。凹部４５ａには凸部４３ａが嵌め合わされ、凹部４６ａには凸部４４ａが嵌め合わされている。給紙トレイ５の移動の際には、各凸部４３ａ，４４ａが各凹部４５ａ，４６ａに摺動する。
【００２０】
可動レール４３，４４には、それぞれロックピン４７，４８が設けられている。これらのロックピン４７，４８は、給紙トレイ５が一番奥まで押し込まれると、図示しないロック機構によってロックされる。給紙トレイ５には、軸４９を中心に回転する取手部５０が設けられている。この取手部５０は、Ｘ軸マイナス側から見たときに時計回りにバネ付勢されており、取手部５０の下から手を入れて操作されるものである。この取手部５０を反時計回りに回転させることにより、ロックピン４７，４８のロックを解除することができる。ただし、記録紙４の搬送時には取手部５０が操作されてもロック解除が行われない構造とされているため、記録紙４の搬送時に給紙トレイ５が誤って引き出されることが防止され、記録紙搬送動作や画像記録動作に悪影響が及ぼされることが防止される。
【００２１】
プリンタ本体側ケース３１は、Ｙ軸マイナス側が開口３１ａとされている。プリンタ本体側ケース３１の内部には、２つの第２支持部材６０，６１がＸ軸方向に並べて設けられている。第２支持部材６０，６１の間隔は第１支持部材４１，４２の間隔より若干広くされている。各第２支持部材６０，６１には、板バネ６２，６３が取り付けられている。
【００２２】
第２支持部材６０には、記録紙ロールユニット３の回転軸１６を支持するための、逆三角形状の第２支持溝６０ａが形成されている。この第２支持溝６０ａの底部は第１支持溝４１ａの底部よりも高さｈだけ高くされている（図３参照）。これにより、第２支持溝６０ａに支持される記録紙ロールユニット３の回転軸１６の高さは、第１支持溝４１ａに支持されるときよりも高くされる。第２支持部材６０には、第２支持溝６０ａが形成された位置よりもＹ軸マイナス側にガイド面６０ｂが形成されている。このガイド面６０ｂは、回転軸１６が第１支持部材４１から第２支持部材６０へ受け渡されるときに、回転軸１６を第２支持溝６０ａへとガイドするものである。板バネ６２は、回転軸１６を第２支持溝６０ａに押し付けるものである。
【００２３】
第２支持部材６１には、第２支持部材６０と同様にして、第２支持溝６１ａ、ガイド面６１ｂが形成されている。第２支持溝６１ａは回転軸２０を支持するためのものであり、第２支持溝６１ａの底部は第１支持溝４２ａの底部よりも高さｈだけ高くされている。
【００２４】
図３に示すように、プリンタ本体側ケース３１の縁部には、Ｙ軸方向に深さを有する溝部３１ｂが形成されており、この溝部３１ｂにはパッキン７０が配置されている。また、給紙トレイ側ケース４０の縁部には、Ｙ軸方向に突出する突部４０ｂが形成されている。この突部４０ｂは、溝部３１ｂに差し込むことができるサイズとされている。給紙トレイ側ケース４０がプリンタ本体側ケース３１に押し付けられた場合には、突部４０ｂがパッキン７０に押し付けられ、ケース内部が光密且つ気密に密閉される。
【００２５】
プリンタ本体側ケース３１には記録紙４を外部へ送り出す送出口７１が形成されている。また、プリンタ本体側ケース３１には、この送出口７１を開閉するシャッタ装置３４が設けられている。シャッタ装置３４は、シャッタ７２と、このシャッタ７２を駆動するシャッタ駆動部７３とから構成される。シャッタ７２は、回転軸７４を中心に回転可能であり、送出口７１を閉じる閉じ位置（図中実線で示す）と、送出口７１を開く開き位置（図中二点鎖線で示す）との間で移動する。シャッタ駆動部７３は、システム制御部の指示に基づいて動作する。なお、シャッタは、回転軸を中心に回転するスイングタイプで説明したが、送出口の開口面に沿って平行に移動するスライドタイプであってもよい。
【００２６】
プリンタ本体側ケース３１には、装填後の記録紙ロールユニット１１から記録紙４を送り出す搬送装置３３が設けられている。搬送装置３３は、搬送ローラ８０と、この搬送ローラ８０を保持する搬送ローラ保持機構８１と、駆動力を発生するモータ８２と、このモータ８２の駆動力を搬送ローラ８０に伝達する駆動力伝達機構８３とから構成される。搬送ローラ８０及び搬送ローラ保持機構８１はプリンタ本体側ケース３１の内部に配置されており、モータ８２はプリンタ本体側ケース３１の外部に配置されている。モータ８２は、感熱プリンタ全体を管制する図示しないシステム制御部の指示に基づいて駆動する。
【００２７】
搬送ローラ保持機構８１は、保持アーム８６とバネ８７とから構成されている。保持アーム８６は、先端部に設けた回転軸８８を介して搬送ローラ８０を保持している。保持アーム８６は、プリンタ本体側ケース３１に設けた回転軸８９を中心に回転可能であり、バネ８７によってＸ軸マイナス側から見たときに時計回りに付勢されている。保持アーム８６には、記録紙ロール１１から送り出される記録紙４を通過させる開口部８６ａが形成されている。なお、プリンタ本体側ケース３１の内部には、搬送ローラ８０の駆動によって送り出された記録紙４を、保持アーム８６の開口部８６ａを介して送出口７１へと導く図示しないガイド部材が配置されている。
【００２８】
図４に示すように、駆動力伝達機構８３は、駆動軸９０と、この駆動軸９０を支持する外板及び内板（第１及び第２保持部材）９１，９２と、ギア９３，９４と、固定軸受（第２及び第３軸受）９５，９６と、可動軸受９７と、圧縮コイルバネ９８とから構成される。
【００２９】
駆動軸９０はプリンタ本体側ケース３１に形成された円形の開口部９９に挿通されている。外板９１及び内板９２は、金属製であり、駆動軸９０が開口部９９の内側に接触しないようにして駆動軸９０を支持している。外板９１は、プリンタ本体側ケース３１の外部に配置されており、基台３０に固定されている。外板９１は固定軸受（第１軸受）９５を介して駆動軸９０を回転自在に支持している。固定軸受９５は、駆動軸９０の周面に形成された溝９０ａに嵌め込まれたＥリング１００によって固定されている。
【００３０】
内板９２は、プリンタ本体側ケース３１の内部に配置され、プリンタ本体側ケース３１の底部に固定されている。なお、プリンタ本体側ケース３１はスペーサ１０２を介して基台３０に固定されている。内板９２は固定軸受（第２軸受）９６を介して駆動軸９０を回転自在に支持している。固定軸受９６は、駆動軸９０の溝９０ｂに嵌め込まれたＥリング１０１によって固定されている。
【００３１】
可動軸受９７は、金属製であり、駆動軸９０に取り付けられ軸方向に移動自在である。可動軸受９７には段部９７ａが形成されており、この段部９７ａの外径は開口部９９の径よりも大きくされている。この段部９７ａの外周面はプリンタ本体側ケース３１に接触しないようにされている。段部９７ａには、ゴム製のパッキン１０３が設けられている。圧縮コイルバネ９８は、固定軸受９５と可動軸受９７との間に配置されており、可動軸受９７をＸ軸プラス方向に付勢している。これにより、可動軸受９７がパッキン１０３を介してプリンタ本体側ケース３１に押し付けられ、開口部９９が気密に塞がれる。なお、可動軸受９７は、一部の外径が開口部９９の径よりも大きくされており開口部９９を塞ぐことが可能であれば任意の形状でよい。
【００３２】
ギア９３は、駆動軸９０のＸ軸マイナス側の端部に固定されており、モータ８２に接続されるものである。また、ギア９４は、駆動軸９０のＸ軸プラス側の端部に固定されており、搬送ローラ８０に接続されるものである。
【００３３】
以下、上記構成による作用について説明する。図１に示すように、給紙トレイ５をＹ軸マイナス方向に引き出すと、記録紙ロールユニット３が給紙トレイ５にセットできる状態になる。以下では、便宜上、対になっている部材のうちＸ軸マイナス側に配置された部材（例えば、第１支持部材４１及び第１支持部材４２のうち、第１支持部材４１）だけを用いて説明を行う場合があるが、Ｘ軸プラス側の部材もＸ軸マイナス側の部材と同様の動作を行っている。
【００３４】
図１及び図５（Ａ）に示すように、記録紙ロールユニット３の各回転軸１６，２０をそれぞれ第１支持部材４１，４２に支持させて、記録紙ロールユニット３を給紙トレイ側ケース４０に収納する。給紙トレイ５をＹ軸プラス方向に押すと、可動レール４３，４４がそれぞれ固定レール４５，４６にガイドされ、給紙トレイ５がＹ軸プラス方向に押し込まれる。
【００３５】
給紙トレイ５が押し込まれると、やがて回転軸１６が第２支持部材６０に接触する。図５（Ｂ）に示すように、回転軸１６がガイド面６０ｂに接触すると、回転軸１６はＺ軸プラス方向への力を受け、第１支持溝４１ａの底部から離れてガイド面６０ｂに沿って移動してゆく。
【００３６】
図５（Ｃ）に示すように、ガイド面６０ｂに沿って移動した回転軸１６は、板バネ６２に接触してＺ軸マイナス方向に押圧されながら、やがて第２支持溝６０ａに入り込む。回転軸１６は第２支持溝６０ａに押し付けられ、記録紙ロールユニット３がプリンタ本体に対して位置決めされる。
【００３７】
上記の給紙トレイ５の押し込み動作に伴って、給紙トレイ側ケース４０がプリンタ本体側ケース３１に押し付けられ、突部４０ｂが溝部３１ｂのパッキン７０に押し付けられる。シャッタ７２は閉じ位置にあり、ケース内部が光密且つ気密に密閉されることとなる。特に、図４に示すように、駆動軸９０回りにおいては、可動軸受９７がパッキン１０３を介して開口部９９を気密に塞いでおり、保湿性が高められている。
【００３８】
また、上記の給紙トレイ５の押し込み動作に伴って、搬送ローラ８０がバネ８７の付勢力によって記録紙ロール１１の周面に圧接し、記録紙４の送り出しが可能な状態になる。給紙トレイ５が一番奥まで押し込まれると、給紙トレイ５のロックピン４７，４８がロックされる。以上により、記録紙ロールユニット３のプリンタ本体への装填が完了する。
【００３９】
記録紙ロールユニット３の装填完了後、システム制御部の指示によりシャッタ駆動部７３が作動し、シャッタ７２が開き位置に移動して送出口７１が開かれる。また、システム制御部の指示によりモータ８２が正回転し、駆動力伝達機構８３を介して搬送ローラ８０が正回転し、記録紙ロール１１から記録紙４が送り出される。
【００４０】
ここで、図４に示すように、駆動力伝達機構８３の駆動軸９０は、金属製の外板９１及び内板９２によって２点だけで支持されているため、安定して回転する。駆動軸９０は可動軸受９７にも接しているが、この可動軸受９７はプリンタ本体側ケース３１とは別体とされているため、駆動軸９０の回転負荷を最小限に抑えることができる。仮に、可動軸受９７をプリンタ本体側ケース３１に固定すると、プリンタ本体側ケース３１の製作精度が低い場合に、駆動軸９０が可動軸受９７から径方向に力を受けることがあり、駆動軸９０の回転負荷が大きくなり、伝達ロスが大きくなってしまう。
【００４１】
記録紙ロール１１から送り出された記録紙４は、保持アーム８６の開口部８６ａを通過して送出口７１からプリンタ本体へと搬送される。記録紙４には画像が記録され、記録された領域がカットされてプリンタ本体から排出される。
【００４２】
画像記録動作が終わると、モータ８２が逆回転し、駆動力伝達機構８３を介して搬送ローラ８０が逆回転し、記録紙４が巻き戻される。また、シャッタ７２が閉じ位置に移動して送出口７１が閉じられる。記録紙ロール１１は、遮光及び防湿状態で待機することとなる。
【００４３】
記録紙ロール１１を全て使用したときには、給紙トレイ５を引き出して使用済みの記録紙ロールユニットを未使用の記録紙ロールユニットに交換する。給紙トレイ５を引き出すと回転軸１６が第２支持部材６０から第１支持部材４１へと受け渡され、給紙トレイ５をさらに引き出すと使用済みの記録紙ロールユニットを取り出すことができる。
【００４４】
上記実施形態の給紙装置によれば、記録紙ロールユニットを給紙トレイにセットして押し込むだけなので装填作業が簡単になるとともに、装填後の記録紙ロールユニットを遮光及び防湿状態にすることができる。
【００４５】
なお、上記実施形態では、保湿ケースがプリンタ本体側ケースと給紙トレイ側ケースから構成され、これらが分離していたが、プリンタ本体側ケースの替わりに、給紙トレイ側ケースを開閉する開閉蓋を設ける構成であってもよい。また、上記実施形態では、給紙装置が給紙トレイを用いた形態であったが、給紙装置が給紙マガジンの形態である場合に本発明を適用してもよい。
【００４６】
上記実施形態では、駆動軸を保持する２つの保持部材をそれぞれ保湿ケースの外部と内部に配置したが、２つとも保湿ケースの外部に設けてもよいし、２つとも保湿ケースの内部に設けてもよい。
【００４７】
上記実施形態では、記録紙を巻き戻すときに搬送ローラを用いたが、この替わりに、ロールホルダに形成された把持部の外周面にギアを形成し、このギアに駆動力を伝達させてロールホルダ及び記録紙ロールを回転させ、記録紙を巻き戻してもよい。
【００４８】
上記実施形態では、感熱記録紙ロールを用いて説明したが、保湿が必要とされるものであれば、他種の記録紙ロールであってもよい。さらに、保湿ケースに収納するのは記録紙ロールに限られず、他の対象物であってもよい。
【図面の簡単な説明】
【００４９】
【図１】給紙トレイ引き出し時における給紙装置の外観斜視図である。
【図２】給紙トレイ押し込み時における給紙装置の外観斜視図である。
【図３】給紙装置をＹ方向で切断したときの要部断面図である。
【図４】給紙装置をＸ方向で切断したときの部分断面図である。
【図５】記録紙ロールユニットの装填動作を説明する説明図である。
【符号の説明】
【００５０】
２  給紙装置
３  記録紙ロール
５  給紙トレイ
３１  プリンタ本体側ケース
３３  搬送装置
３４  シャッタ装置
４０  給紙トレイ側ケース
８０  搬送ローラ
８３  駆動力伝達機構
９１  外板
９２  内板
９３，９４  ギア
９５，９６  固定軸受
９７  可動軸受
９８  圧縮コイルバネ
９９  開口部
１０３  パッキン
【図１】
2007050944.tif 000003
【図２】
2007050944.tif 000004
【図３】
2007050944.tif 000005
【図４】
2007050944.tif 000006
【図５】
2007050944.tif 000007